(57)【要約】【課題】より安定した量の内容液を塗布することができる計量塗布容器を提供する。【解決手段】計量塗布容器１は、被塗布部に塗布する内容液が収容される容器本体１０と、容器本体の口部に装着されるとともに、上方付勢状態で下方移動可能に立設されたステムを有し、該ステムの下方移動に伴い該ステムの上端開口から内容液を吐出するポンプと、ステムに装着されるとともに、ステムの上端開口に連通する連通孔が形成された操作部２０と、連通孔に連通する計量空間が内部に画成された計量筒部３０と、操作部の容器本体に対する下方移動を規制する規制部１４と、を備える。操作部および規制部は、操作部の容器本体に対する下方移動が規制される規制位置から、操作部の容器本体に対する下方移動が許容される解除位置に向けて、容器軸Ｏ回りに相対回転可能に設けられている。【選択図】図１
2018140802.tif 000002
【特許請求の範囲】
【請求項１】
被塗布部に塗布する内容液が収容される容器本体と、
前記容器本体の口部に装着されるとともに、上方付勢状態で下方移動可能に立設されたステムを有し、該ステムの下方移動に伴い該ステムの上端開口から内容液を吐出するポンプと、
前記ステムに装着されるとともに、前記ステムの前記上端開口に連通する連通孔が形成された操作部と、
前記連通孔に連通する計量空間が内部に画成されるとともに、前記内容液が吐出される吐出孔が形成された計量筒部と、
前記操作部の前記容器本体に対する下方移動を規制する規制部と、を備え、
前記操作部および前記規制部は、前記操作部の前記容器本体に対する下方移動が規制される規制位置から、前記操作部の前記容器本体に対する下方移動が許容される解除位置に向けて、容器軸回りに相対回転可能に設けられていることを特徴とする、計量塗布容器。
【請求項２】
前記計量筒部が、弾性変形可能な軟材質によって形成されていることを特徴とする、請求項１に記載の計量塗布容器。
【請求項３】
前記容器本体と前記規制部とが一体に形成されていることを特徴とする、請求項１または２に記載の計量塗布容器。
【発明の詳細な説明】
【技術分野】
【０００１】
本発明は、計量塗布容器に関する。
【背景技術】
【０００２】
従来から、下記特許文献１に示されるような計量塗布容器が知られている。この計量塗布容器は、内容液が収容される容器本体と、容器本体の口部に装着されるとともに、上方付勢状態で下方移動可能に立設されたステムを有し、ステムの下方移動に伴いステムの上端開口から内容液を吐出するポンプと、ステムに装着された操作部と、内部に計量空間が形成された計量筒部（液溜まり部）と、を備えている。
この計量塗布容器では、操作部を押下してポンプを作動させると、容器本体内の所定量の内容液が計量筒部内に一旦溜められる。そして、計量筒部内に溜められた内容液を吐出させることで、被塗布部にこの所定量の内容液を塗布することができる。
【先行技術文献】
【特許文献】
【０００３】
【特許文献１】特許第５６２４２６０号公報
【発明の概要】
【発明が解決しようとする課題】
【０００４】
ところで、上記特許文献１に記載の計量塗布容器では、計量筒部内で内容液が計量された後、例えば不意に操作部に下向きの外力が加わってポンプが作動した場合には、計量した量よりも多い量の内容液が計量筒部内に溜められる。あるいは、例えば不意に操作部に下向きの外力が加わってポンプが作動し、計量筒部内に内容液が溜められているのを知らずに、計量のために操作部を押下した場合にも同様に、計量した量よりも多い量の内容液が計量筒部内に溜められる。
上記のように、計量の前後で計量筒部内の内容液の量が増えると、所期した量よりも多い量の内容液が被塗布部に塗布されるおそれがある。
【０００５】
本発明はこのような事情を考慮してなされたもので、より安定した量の内容液を塗布することができる計量塗布容器を提供することを目的とする。
【課題を解決するための手段】
【０００６】
上記課題を解決するために、本発明の計量塗布容器は、被塗布部に塗布する内容液が収容される容器本体と、前記容器本体の口部に装着されるとともに、上方付勢状態で下方移動可能に立設されたステムを有し、該ステムの下方移動に伴い該ステムの上端開口から内容液を吐出するポンプと、前記ステムに装着されるとともに、前記ステムの前記上端開口に連通する連通孔が形成された操作部と、前記連通孔に連通する計量空間が内部に画成されるとともに、前記内容液が吐出される吐出孔が形成された計量筒部と、前記操作部の前記容器本体に対する下方移動を規制する規制部と、を備え、前記操作部および前記規制部は、前記操作部の前記容器本体に対する下方移動が規制される規制位置から、前記操作部の前記容器本体に対する下方移動が許容される解除位置に向けて、容器軸回りに相対回転可能に設けられていることを特徴とする。
【０００７】
本発明の計量塗布容器によれば、操作部および規制部が解除位置にある場合には操作部の容器本体に対する下方移動が許容されるため、操作部を押下することでステムが下方移動し、ステムの上端開口から吐出された内容液が計量空間内に溜められる。従って、この計量空間内で計量された内容液を、吐出孔から吐出させ、被塗布部に塗布することができる。
一方、操作部および規制部が規制位置にある場合には、規制部によって、操作部の容器本体に対する下方移動が規制される。これにより、内容液の計量の前後で操作部を規制位置に位置させておくことで、例えば不意に操作部が容器本体に対して下方移動してポンプが作動し、計量空間内に溜められる内容液の量が多くなってしまうのが抑えられる。
以上より、本発明の計量塗布容器によれば、より安定した量の内容液を塗布することが可能となる。
【０００８】
ここで、前記計量筒部が、弾性変形可能な軟材質によって形成されていてもよい。
【０００９】
この場合、吐出孔が形成された計量筒部が軟材質で形成されているため、計量筒部を被塗布部に押し付ける際の押し付け力を調整することで、この計量筒部の弾性変形量が変化し、吐出孔から吐出される内容液の量を微調整することができる。
また、計量筒部が軟材質によって形成されていることで、計量筒部が全体として弾性変形可能となり、計量筒部を皮膚などに押し付けた際の衝撃や外力が緩和されて、柔らかな塗布感触を得ることができる。
【００１０】
また、前記容器本体と前記規制部とが一体に形成されていてもよい。
【００１１】
この場合、例えば容器本体と規制部とが別体に形成されている場合と比較して、部品点数を削減して製造コストを低減することができる。また、例えば容器本体を把持して計量筒部を被塗布部に押し付けた場合でも、操作部を規制位置に位置させておくことで、操作部と容器本体とが不意に容器軸方向に相対移動してポンプが作動するのを抑えることができる。従って、上記のように製造コストを低減しつつ、計量後に意図せず計量空間内の内容液が増えてしまうのを抑えることができる。
【発明の効果】
【００１２】
本発明によれば、より安定した量の内容液を塗布することができる計量塗布容器を提供することができる。
【図面の簡単な説明】
【００１３】
【図１】操作部が規制位置にある計量塗布容器の全体図である。
【図２】図１の計量塗布容器の一部縦断面図である。
【図３】操作部が解除位置にある計量塗布容器の全体図である。
【図４】図３の計量塗布容器の一部縦断面図である。
【図５】計量塗布容器の使用方法を説明する図である。
【発明を実施するための形態】
【００１４】
以下、本実施形態に係る計量塗布容器の構成を、図１〜図５を参照しながら説明する。なお、以下の説明に用いる各図面では、各部材を認識可能な大きさとするため縮尺を適宜変更している。
図１および図２に示すように、計量塗布容器１は、内容液が収容される有底筒状の容器本体１０と、容器本体１０の口部１０ａに装着されたポンプ４０と、ポンプ４０が有するステム４２に装着された有頂筒状の操作部２０と、内部に計量空間Ｓが画成された計量筒部３０と、計量筒部３０を覆う有頂筒状の蓋体５０と、を備える。
【００１５】
ここで本実施形態では、容器本体１０、操作部２０、計量筒部３０、ステム４２、および蓋体５０の各中心軸は共通軸上に位置する状態で配設されている。以下、この共通軸を容器軸Ｏといい、容器軸Ｏに沿う方向を上下方向といい、上下方向に沿った容器本体１０の口部１０ａ側を上方、容器本体１０の底部側を下方という。また、上下方向から見た平面視において、容器軸Ｏに直交する方向を径方向といい、容器軸Ｏ回りに周回する方向を周方向という。
【００１６】
ポンプ４０は、シリンダ４１と、このシリンダ４１内に収容され、上方付勢状態で下方移動可能に立設されたステム４２と、環状のシール部材４３と、有頂筒状の装着キャップ４４と、を備えている。ポンプ４０は、ステム４２が容器軸線Ｏと同軸に延びるように、容器本体１０の口部１０ａに装着されている。
シリンダ４１の上端開口縁には、径方向外側に突出するフランジ部４１ａが形成されている。装着キャップ４４には、この頂壁４４ａの径方向中央部を上下方向に貫通する貫通孔が形成されており、この貫通孔内をステム４２が挿通している。ステム４２は、容器本体１０内に連通可能な筒状体であり、ポンプ４０では、このステム４２の下方移動に伴い、ステム４２の上端開口から容器本体１０内の内容液を吐出することが可能となっている。
【００１７】
装着キャップ４４の周壁４４ｂには、容器本体１０の口部１０ａに形成された雄ネジ部と螺合する雌ネジ部が形成されている。装着キャップ４４の頂壁４４ａと容器本体１０の口部１０ａとの間で、フランジ部４１ａおよびシール部材４３が挟まれた状態で、装着キャップ４４が口部１０ａに螺着されることで、ポンプ４０が口部１０ａに固定されている。装着キャップ４４には、その頂壁４４ａから上方に向けて延びる第２ガイド筒４４ｃが形成されている。第２ガイド筒４４ｃは、容器軸Ｏと同軸上に配設されている。
【００１８】
操作部２０は、容器本体１０に対して容器軸Ｏ回りに回動可能に設けられている。操作部２０には、その頂壁２１の外周縁から下方に向けて延びる小筒部２２と、小筒部２２の下端部から径方向外側に向けて延びる環状の段部と、段部の外周縁から下方に向けて延びる、小筒部２２よりも大径の把持筒部２３と、が形成されている。さらに、操作部２０の頂壁２１には、上方に向けて延びる接続筒部２４および弁保持部２７と、下方に向けて延びる嵌合筒部２５および第１ガイド筒２８と、が形成されている。
【００１９】
操作部２０には、頂壁２１の径方向中央部を上下方向に貫通する連通孔２１ａが形成されている。連通孔２１ａは、ステム４２の上端開口および計量筒部３０の計量空間Ｓに連通している。弁保持部２７は有頂筒状に形成されており、その頂壁に貫通孔２７ａが形成されている。弁保持部２７の貫通孔２７ａは、操作部２０の頂壁２１における連通孔２１ａに連通している。弁保持部２７の頂壁には、ステム４２の上端開口と計量空間Ｓとの連通を開放可能に遮断する弁体６０が取り付けられている。
【００２０】
弁体６０は、円板状の弁本体６１と、弁本体６１から下方に向けて延びる円柱状の取付部６２と、を有している。弁本体６１の外径は、取付部６２の外径よりも大きい。弁本体６１は、弁保持部２７の貫通孔２７ａを覆っている。取付部６２は、弁保持部２７の貫通孔２７ａに挿通されている。取付部６２の外周面には、上下方向に延びる縦溝と、その下端部から径方向外側に向けて突出する突出部が形成されている。
【００２１】
接続筒部２４は、弁保持部２７の径方向外側に設けられている。接続筒部２４は、操作部２０の頂壁２１および嵌合筒部２５を介して、ステム４２と計量筒部３０とを接続している。接続筒部２４の外周面には、径方向外側に向けて突出する被嵌合部２４ａが形成されている。
小筒部２２は、ステム４２、嵌合筒部２５、および第１ガイド筒２８を囲繞している。嵌合筒部２５は、ステム４２に外嵌されている。このため、操作部２０はステム４２に対して上下方向に固定されるとともに、ステム４２に対して容器軸Ｏ回りに回転可能とされており、操作部２０およびステム４２は一体に上下動する。
【００２２】
第１ガイド筒２８は、ステム４２および嵌合筒部２５を囲繞している。第１ガイド筒２８の下端部は、第２ガイド筒４４ｃの上端部より下方に位置している。第１ガイド筒２８の外径は、第２ガイド筒４４ｃの内径よりも小さい。第１ガイド筒２８および第２ガイド筒４４ｃは、操作部２０が容器本体１０に対して下方移動する際に、操作部２０の動きをガイドする。
【００２３】
計量筒部３０は、有頂筒状に形成されている。計量筒部３０には、その頂壁における径方向中央部を上下方向に貫通する吐出孔３０ａと、その頂壁から上方に向けて突出する塗布部３１と、が形成されている。塗布部３１内は、吐出孔３０ａを通じて計量空間Ｓに連通している。
【００２４】
計量筒部３０および塗布部３１は、弾性変形可能な軟材質（例えばニトリルゴム、ブチルゴム、シリコンゴム、エラストマー、ウレタン等）によって、一体に形成されている。なお、計量筒部３０および塗布部３１は、軟材質によって形成されていなくてもよい。この場合、内容液に作用する表面張力や、塗布時の衝撃（被塗布部に向けた慣性力）によって、内容液を吐出孔３０ａから吐出させることができる。
また、計量筒部３０は、透明若しくは半透明な材質などで形成され、計量空間Ｓ内の内容液の水位が外部から視認可能に構成されていてもよい。この場合、計量空間Ｓ内の内容液の量を視認しながら、この内容液を被塗布部に塗布することが可能となり、より操作性を向上させることができる。また、計量筒部３０の外周面には、内容液の水位を示す目盛が設けられていてもよい。
【００２５】
さらに、計量筒部３０には、その周壁から下方に向けて延びる内筒部３２および外嵌筒部３３が形成されている。内筒部３２は、操作部２０の接続筒部２４内に嵌合している。外嵌筒部３３は、内筒部３２の径方向外側に位置している。外嵌筒部３３の下端部は、内筒部３２の下端部より下方に位置している。外嵌筒部３３の内周面には、径方向内側に向けて突出する嵌合部３３ａが形成されている。嵌合部３３ａが、接続筒部２４の被嵌合部２４ａにアンダーカット嵌合することで、計量筒部３０が操作部２０に対して固定されている。
【００２６】
蓋体５０には、その頂壁から下方に向けて延びる閉塞部５１および内筒部５２が形成されている。閉塞部５１は、計量筒部３０の塗布部３１内に挿入されており、この塗布部３１および吐出孔３０ａを閉塞している。内筒部５２は、計量筒部３０を囲繞している。蓋体５０の内周面には、操作部２０の小筒部２２に形成された被係止部に係止される係止部が形成されている。
【００２７】
ここで、本実施形態の容器本体１０における胴部１０ｂは、操作部２０の下端部より下方に位置する下筒部１１と、下筒部１１の上端開口縁から径方向内側に向けて延びる環状の段部１３と、段部１３の内周縁から上方に向けて延びる上筒部１２と、を有している。下筒部１１の外径は、操作部２０の把持筒部２３の外径と略同等である。上筒部１２の外径は、把持筒部２３の内径よりも小さい。上筒部１２は、把持筒部２３によって囲繞されている。段部１３は、把持筒部２３の下端開口縁と上下方向で対向している。
なお、上筒部１２と把持筒部２３との間の径方向の隙間が小さいほど、操作部２０が容器本体１０に対して上下動する際のがたつきが小さくなり、この動作を安定させることができる。従って、操作部２０が容器本体１０に対して容器軸Ｏ回りに回動可能であれば、上筒部１２の外径と把持筒部２３の内径とが同等であってもよい。
【００２８】
さらに、図１に示すように、容器本体１０の胴部１０ｂには、段部１３から上方に向けて延びる規制部１４が配設されている。規制部１４は、容器本体１０と一体に形成されており、規制部１４の外周面は、下筒部１１の外周面と面一に形成されている。規制部１４の周方向における幅は、規制部１４の上下方向における長さよりも小さい。規制部１４は、正面視で略長方形状に形成されている。
【００２９】
また、操作部２０には、把持筒部２３の下端開口縁から上方に向けて窪む切欠部２６が形成されている。切欠部２６は、規制部１４と同様の外形を有する第２係合部２６ｂと、第２係合部２６ｂに周方向で隣接する、第２係合部２６ｂよりも上下方向に短い第１係合部２６ａと、を有している。第１係合部２６ａおよび第２係合部２６ｂにより、切欠部２６は、正面視で略Ｌ字状に形成されている。また、切欠部２６には、第１係合部２６ａから下方に向けて突出する係止部２６ｃが形成されている。係止部２６ｃは、第１係合部２６ａの上端部における、周方向の第２係合部２６ｂ側の端部に配設されている。
【００３０】
以上説明した本実施形態の計量塗布容器１の内容液を計量し塗布するには、蓋体５０を取り外し、操作部２０の把持筒部２３および容器本体１０の胴部１０ｂを把持して、操作部２０を容器本体１０に対して容器軸Ｏ回りに回転させる。これにより、規制部１４が係止部２６ｃを周方向の第２係合部２６ｂ側に乗り越えて、第２係合部２６ｂと規制部１４とが上下方向で対向する状態となる。この状態で操作部２０に対して下向きの力が加わると、図３に示すように、規制部１４が第２係合部２６ｂ内に進入しつつ、操作部２０が容器本体１０に対して下方移動する。このように、規制部１４が操作部２０の容器本体１０に対する下方移動を許容する場合の、規制部１４に対する操作部２０の位置を、解除位置という。
【００３１】
操作部２０が容器本体１０に対して下方移動すると、図４に示すように、ポンプ４０が作動し、ステム４２の上端開口から所定量の内容液が吐出される。この内容液によって弁体６０における弁本体６１の外周縁部が押し上げられ、弁体６０と弁保持部２７との間の隙間を通って、内容液が計量空間Ｓ内に流入する。これにより、内容液を計量空間Ｓ内で計量することができる。操作部２０に対する下向きの力が解放されると、ステム４２の上方付勢力によって、ステム４２および操作部２０が容器本体１０に対して上方に復元移動する。
なお、ステム４２からの内容液の吐出が停止すると、弁本体６１の外周縁部が復元変位し、連通孔２１ａが再び閉塞される。これにより、計量空間Ｓ内の内容液の逆流が防止される。
【００３２】
次に、操作部２０を容器本体１０に対して容器軸Ｏ回りに再び回転させて、第１係合部２６ａと規制部１４とが上下方向で対向する位置とする（図１参照）。この状態では、規制部１４によって、操作部２０の容器本体１０に対する下方移動が規制される。このように、規制部１４が操作部２０の容器本体１０に対する下方移動を規制する場合の、規制部１４に対する操作部２０の位置を、規制位置という。
【００３３】
次に、図５に示すように、正立姿勢の計量塗布容器１を倒立姿勢にして、塗布部３１を被塗布部に押し付けたり、塗布部３１から塗布される内容液を掌に取ったりすることで、内容液を被塗布部に塗布することができる。このとき、例えば容器本体１０の胴部１０ｂを把持して塗布部３１を被塗布部に押し付けたとしても、容器本体１０と操作部２０とが上下方向に相対移動することが規制部１４によって抑えられる。従って、内容液を被塗布部に塗布している最中にポンプ４０が作動して、計量空間Ｓ内の内容液が不意に増加してしまうのを抑えることができる。
【００３４】
以上説明したように、本実施形態の計量塗布容器１によれば、操作部２０および規制部１４が、規制位置と解除位置との間で、容器軸Ｏ回りに相対回転可能に設けられている。そして、規制部１４が、規制位置にある操作部２０の容器本体１０に対する下方移動を規制し、解除位置にある操作部２０の容器本体１０に対する下方移動を許容する。これにより、内容液を計量しない場合には操作部２０を規制位置に位置させておくことで、不意にポンプ４０が作動して計量空間Ｓ内に溜められる内容液が多くなってしまうのを抑止することができる。
【００３５】
また、計量筒部３０が弾性変形可能な軟材質で形成されているため、塗布部３１を被塗布部に押し付ける際の押し付け力を調整することで、この塗布部３１の弾性変形量を変化させ、塗布部３１から吐出される内容液の量を微調整することができる。
【００３６】
また、塗布部３１と計量筒部３０とが軟材質によって一体に形成されていることで、塗布部３１および計量筒部３０が全体として弾性変形可能となっている。これにより、例えば人体の頭皮や皮膚などの被塗布部に塗布部３１を押し付ける際に、塗布部３１および計量筒部３０が全体として変形することで、押し付けに伴って被塗布部に及ぼされる衝撃や外力等がさらに緩和されて、柔らかな塗布感触を得ることができる。これにより、塗布による不快さや心地悪さを感じることが抑えられて、快適で心地よい塗布を行うことができる。
【００３７】
また、容器本体１０と規制部１４とが一体に形成されているため、例えばこれらが別体に形成されている場合と比較して、部品点数を削減して製造コストを低減することができる。また、例えば容器本体１０の胴部１０ｂを把持して塗布部を被塗布部に押し付けた場合でも、操作部２０を規制位置に位置させておくことで、不意にポンプ４０が作動するのを抑えることができる。従って、製造コストを低減しつつ、計量後に意図せず計量空間Ｓ内の内容液が増えてしまうのを抑えた計量塗布容器１とすることができる。
【００３８】
また、操作部２０が規制位置にある場合、操作部２０の容器本体１０に対する容器軸Ｏ回りの回転が、係止部２６ｃによって抑えられる。これにより、不意に操作部２０が規制位置から解除位置へと移動してしまうのを抑えることができる。
【００３９】
なお、本発明の技術的範囲は前記実施の形態に限定されるものではなく、本発明の趣旨を逸脱しない範囲において種々の変更を加えることが可能である。
【００４０】
例えば、前記実施形態では、操作部２０に弁保持部２７が設けられ、この弁保持部２７に弁体６０が取り付けられていたが、このような弁保持部２７および弁体６０を備えていない計量塗布容器１を採用してもよい。この場合、操作部２０の連通孔２１ａと計量空間Ｓとが直接連通していてもよい。
【００４１】
また、計量筒部３０と操作部２０とは一体に形成されていてもよい。
また、規制部１４は容器本体１０と別体に形成されていてもよい。
また、前記実施形態では計量筒部３０に塗布部３１が形成されていたが、これに限らず、例えば計量空間Ｓに連通する吐出孔を有する塗布部が、計量筒部３０とは別体に設けられていてもよい。あるいは、吐出孔３０ａを通して、計量空間Ｓから外部へと出没可能に設けられた塗布栓を備えた計量塗布容器１を採用してもよい。
また、塗布部３１を有さない計量筒部３０を採用してもよい。
【００４２】
また、前記実施形態では、操作部２０は、ステム４２に対して容器軸Ｏ回りに回転可能となるように直接取り付けられているが、ステム４２と嵌合筒部２５との間に、内容液をシールしつつ両部材２５、４２を相対回転可能とする回転機構が設けられていてもよい。このとき、該回転機構は、ステム４２に対して相対回転不能であり、操作部２０に対して相対回転可能な部材を有していてもよい。
また、操作部２０の嵌合筒部２５が、ステム４２に対して容器軸Ｏ回りに回転不能となるように取り付けられ、操作部２０の下端部のみを、操作部２０の他の部分に対して容器軸Ｏ回りに回転可能となるように構成しても良い。
さらに、操作部２０、ステム４２、および容器本体１０、は容器軸Ｏ回りに互いに相対回転しないように設けられていてもよい。この場合、例えば容器本体１０に対して容器軸Ｏ回りに回動可能に装着される筒状の装着部材に、規制部が形成されていてもよい。この場合であっても、装着部材の容器本体１０に対する上下動が規制されていれば、前記実施形態と同様の作用効果を得ることができる。
【００４３】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【符号の説明】
【００４４】
１…計量塗布容器  １０…容器本体  １０ａ…口部  １４…規制部  ２０…操作部  ２１ａ…連通孔  ３０…計量筒部  ３０ａ…吐出孔  ３１…塗布部  ４０…ポンプ  ４２…ステム  Ｏ…容器軸  Ｓ…計量空間
【図１】
2018140802.tif 000003
【図２】
2018140802.tif 000004
【図３】
2018140802.tif 000005
【図４】
2018140802.tif 000006
【図５】
2018140802.tif 000007